(57)【要約】【課題】従来の「デレッキ棒」では、１）レーン（二次切断用投入レーン（送り装置））内に谷状に曲がった状態で置かれた鉄屑がレーンのさらに先で押さえ時（特許文献１を参照）や切断時にシーソー状にはねたりしないようにレーン投入前中後に持ち上げて谷状から山状となるようにひっくり返す、２）レーン投入前中後において互いに絡まった鉄屑をひきはなす、３）二次切断機で処理不能（サイズや形状的に）の鉄屑を山やレーン内から取り除く、等ということが困難であり、皮手袋を着用した作業員が手やリフティングマグネットで行わなければならず危険又は非効率であった。【解決手段】  棒の形状を工夫して、追加した輪や追加突出部や山裾形状により、材料を斜めに把持して引っ張り出したり、ひっくりかえしたり、塊に差し込んで分離したりすることを可能にする。【選択図】図１
2016064457.tif 000002
【特許請求の範囲】
【請求項１】
材料を、手前方向の成分を含む方向に操作するための鉤（材料をひっかけるための突出部）を有する棒状（複数の棒が連結したものも含む）の材料操作具であって、
材料等（一個の材料又は材料塊（互いにからまった複数材料からなる塊））上の２点を棒上の握り手より十分遠い位置で互い違いの方向に圧迫することによって
材料等を引っ張り出すこと、材料等を持ち上げること（ひっくり返すことを含む）又は材料塊中の材料を互いに引き離すことを可能にする材料操作具。
【請求項２】
材料操作具の作用部先端を山裾状に連続して広がるように成形し、材料塊中の材料同士の隙間に先端を深く差し込むことにより、前記２点が連続して広がり、材料塊中の材料を互いに引き離せるように構成した
請求項１に記載の材料操作具。
【請求項３】
材料操作具が可動部を含まず十分広い開口部を有し、該開口部に材料等を通した後に材料等を前記２点で斜めに回転させる方向に挟んだ摩擦力により材料等を把持することにより、材料等を引っ張り出す、材料等を持ち上げる（ひっくり返すことを含む）又は材料塊中の材料を互いに引き離せるように構成した
請求項１又は２に記載の材料操作具。
【請求項４】
請求項２に記載の山裾状作用部先端を輪状に形成して請求項３の開口部とし、
該輪の外側に請求項２の２点、該輪の内側に請求項３の２点を設けた
請求項２及び３に記載の材料操作具。
【請求項５】
材料操作具が、スライド、かしめ又は素材の曲げ弾性による可動部を有し、鉤又は鉤近傍の前記２点により、材料等を挟むよう又は広げるように把持又は分離することを特徴とする
請求項１又は２に記載の材料操作具。
【請求項６】
一対以上の棒を、持ち手とハサミ口との距離が十分長い柄とかしめ（またはネジ）とハサミ口を有するハサミ状に構成し、ハサミ口の先端に鉤を有し、かつ、ハサミ口の内側２点又は外側２点により材料等を把持して持ち上げる又は材料塊中の材料を互いに分離できるように構成した、
請求項１又は２に記載の材料操作具。
【請求項７】
持ち手付近に支点を有するハサミ状の棒の先端に鉤をつけて、ひっかく動作と挟む動作の両方を可能にした、
請求項１又は２に記載の材料操作具。
【請求項８】
請求項１から７のいずれか一項に記載の材料操作具を用いた材料操作方法。
【発明の詳細な説明】
【技術分野】
【０００１】
本発明は、材料操作具及び材料操作方法、特に、鉄屑を適量づつ、からまないよう、はねないよう又は方向をそろえながら移動させるための材料操作具及び材料操作方法、特に、縦又は横に粗切断（一次切断）されたアミ鉄板状の溶断屑をさらに横又は縦に細かく切断（二次切断）するために二次切断用投入レーンの奥に設置したスロープにある一次切断材の山を適量づつ、からまないよう、はねないよう又は方向をそろえながら手前に崩して二次切断用投入レーンに投入するための材料操作具及び材料操作方法に関するものである。
【背景技術】
【０００２】
従来、このような材料操作具は、下記特許文献１及び２と共に当社独自の生産ラインで用いられており、当社では「デレッキ棒」と呼んでいた。「デレッキ棒」は、図２のような簡単な構造をしていたため、作業員が掻き出す操作をうまく行うことにより、多くの場合、一次切断後にスロープに山積みにした鉄屑を少しづつひっぱりだしたりして、二次切断用投入レーン（ひっぱりだした方向と直角（右又は左）の方向に自動搬送する送り装置）に入れることが可能であった。
【先行技術文献】
【特許文献】
【０００３】
【特許文献１】特許5086754
【特許文献２】特許5187554
【発明の概要】
【発明が解決しようとする課題】
【０００４】
しかし、従来の「デレッキ棒」では、１）レーン（二次切断用投入レーン（送り装置））内に谷状に曲がった状態で置かれた鉄屑がレーンのさらに先で押さえ時（特許文献１を参照）や切断時にシーソー状にはねたりしないようにレーン投入前中後に持ち上げて谷状から山状となるようにひっくり返す、２）レーン投入前中後において互いに絡まった鉄屑をひきはなす、３）二次切断機で処理不能（サイズや形状的に）の鉄屑を山やレーン内から取り除く、等ということが困難であり、皮手袋を着用した作業員が手やリフティングマグネットで行わなければならず危険又は非効率であった。
【課題を解決するための手段】
【０００５】
（１）このような課題を解決するため、本発明は、請求項１として
材料を、手前方向の成分を含む方向に操作するための鉤（材料をひっかけるための突出部）を有する棒状（複数の棒が連結したものも含む）の材料操作具であって、
材料等（一個の材料又は材料塊（互いにからまった複数材料からなる塊））上の２点を棒上の握り手より十分遠い位置で互い違いの方向に圧迫することによって
材料等を引っ張り出すこと、材料等を持ち上げること（ひっくり返すことを含む）又は材料塊中の材料を互いに引き離すことを可能にする材料操作具、を提供する。
このような材料操作具は、各種の棒鋼を曲げて溶接することにより製造することができる。
これにより明らかに基本的な課題が達成される。
（２）また請求項２として
材料操作具の作用部先端を山裾状に連続して広がる（図２のａのａ１）ように成形し、材料塊中の材料同士の隙間に先端を深く差し込むことにより、前記２点が連続して広がり、材料塊中の材料を互いに引き離せるように構成した
請求項１に記載の材料操作具、を提供する。
これにより、材料がかたまった塊から手を使わずに材料同士を引き離す機能をより効果的に追加することができる。
（３）また請求項３として
材料操作具が可動部を含まず十分広い開口部を有し、該開口部に材料等を通した後に材料等を前記２点で斜めに回転させる方向に挟んだ摩擦力により材料等を把持することにより、材料等を引っ張り出す、材料等を持ち上げる（ひっくり返すことを含む）又は材料塊中の材料を互いに引き離せるように構成した
請求項１又は２に記載の材料操作具、を提供する。
これにより、可動部を含まないシンプルな機構（図２のａ〜ｈの輪（ａ１，ｂ１，ｃ１，ｄ１，ｈ１）や突出部（ｅ１，ｆ１，ｆ２，ｆ３，ｇ１，ｇ２，ｈ２，ｈ３））により、目的を実現することを可能にする。
開口部とは、輪の穴や突出部間の輪と突出部間の隙間（図２のｈ１等）を含むものとする。
（４）また請求項４として
請求項２に記載の山裾状作用部先端を輪状に形成して請求項３の開口部とし、
該輪の外側に請求項２の２点、該輪の内側に請求項３の２点を設けた
請求項２及び３に記載の材料操作具（図２のｈ）、を提供する。
これにより、シンプルな形状・公正で、上記した多様な機能を提供することができる。
（５）また請求項５として
材料操作具が、スライド、かしめ又は素材の曲げ弾性による可動部を有し、鉤又は鉤近傍の前記２点により、材料等を挟むよう又は広げるように把持又は分離することを特徴とする
請求項１又は２に記載の材料操作具（図２のｉ，ｊ，ｋ等）、を提供する。
これにより、人間が操作具をもつ姿勢や位置をあまり変化させずに、把持して移動したり、塊を分離したりすることができる。
（６）また請求項６として
一対以上の棒を、持ち手とハサミ口との距離が十分長い柄とかしめ（またはネジ）とハサミ口を有するハサミ状に構成し、ハサミ口の先端に鉤を有し、かつ、ハサミ口の内側２点又は外側２点により材料等を把持して持ち上げる又は材料塊中の材料を互いに分離できるように構成した、
請求項１又は２に記載の材料操作具（図２のｊ等）、を提供する。
これにより、安全に、かつてこの原理を利用した強力な力で把持したり、分離したりすることができる。
（７）また請求項７として
持ち手付近に支点を有するハサミ状の棒の先端に鉤をつけて、ひっかく動作と挟む動作の両方を可能にした、
請求項１又は２に記載の材料操作具（図２のｉ等）、を提供する。
これにより、より簡単に把持できる操作具を制作することができる。
（８）また請求項８として
請求項１から７のいずれか一項に記載の材料操作具を用いた材料操作方法、を提供する。
【発明の効果】
【０００６】
各請求項により当初の課題を達成することができる。
【図面の簡単な説明】
【０００７】
【図１】従来のデレッキ棒に対する本発明によるデレッキ棒の違い・特徴を示した図である。
【図２】本発明の様々な実施形態を示した図である。
【発明を実施するための形態】
【０００８】
本発明は、図２に示すとおり様々な実施形態が可能である。
【実施例】
【０００９】
図１は、従来のデレッキ棒に対する本発明によるデレッキ棒の違い・特徴を示した図である。従来のデレッキ棒は、その簡単な構造上、掻き出し専用であったが、本発明によるデレッキ棒は、掻き出しに加え、１）鉄の端材（材料）の一部を輪に斜めに挟み込んで端材の山等から引っ張り出すことができ、２）同様のやり方でひっくり返すことができ（谷姿勢からより安全な山姿勢になおすため等）、３）からまった端材の塊の隙間に山（裾）型を差し込んで分離したりすることもできる。
図２は、本発明の様々な実施形態を示した図である。
【産業上の利用可能性】
【００１０】
本発明は、様々な材料（特に、一定でない形状を有する堅い材料）を把持する為、移動させるため、引っ張り出すため、持ち上げるため、ひっかけるため、ひっくりかえす為、からまった塊を分離するため等に、広く利用可能である。
【符号の説明】
【００１１】
ａ１，ｂ１，ｃ１，ｄ１，ｈ１  輪
ｅ１，ｆ１，ｆ２，ｆ３，ｇ１，ｇ２，ｈ２，ｈ３  通常の鉤以外の突出部
ｈ１  突出部と輪による隙間（材料を把持する為）
【図１】
2016064457.tif 000003
【図２】
2016064457.tif 000004